【事件の表示】
　特願２００８−１３７７６５「給紙装置及びこれを搭載した原稿搬送装置、画像形成装置」拒絶査定不服審判事件〔平成２１年１２月１０日出願公開、特開２００９−２８６５１７〕について、次のとおり審決する。
【結　論】
　本件審判の請求は、成り立たない。
【理　由】
１．手続の経緯
　本願は、平成２０年５月２７日の出願であって、平成２４年８月２７日付けで拒絶査定がなされ、これに対し、平成２４年１１月２１日に拒絶査定不服審判の請求がされたものである。
　そして、当審において平成２５年１２月３日付けで拒絶理由を通知し、これに対し、平成２６年１月２０日に意見書の提出及び手続補正がなされたものである。
　
２．本願発明 
　本願の請求項１に係る発明は、平成２６年１月２０日になされた手続補正により補正された特許請求の範囲の請求項１により特定される次のとおりのものと認める（以下、「本願発明」という）。
「用紙収容部から用紙を１枚ずつ分離して送り出す給紙部と、用紙収容部の用紙の搬送方向下流部を給紙位置まで持ち上げるリフト板と、このリフト板を昇降させる昇降機構とを備えた給紙装置において、
前記昇降機構は、前記リフト板に常時接触して前記リフト板を前記給紙位置の方向に常時付勢する付勢部材と、前記給紙部とは異なる回転軸に固定され回転するカムと、このカム及び前記リフト板とは独立して設けられて前記リフト板を挟んで前記付勢部材による前記リフト板の付勢方向と対向する側に配置されるとともに、カムとリフト板との間に介在してカムの外周面とリフト板との各々に常時当接しながら、カムの形状に伴う動きを前記リフト板に伝達する作動リンクと、前記用紙の最上層が前記給紙位置を保持するよう前記リフト板の姿勢を制御するための上限検知センサと、を備え、
前記用紙収容部に用紙が存在する間、用紙の最上層が前記給紙部に当接する前記給紙位置を保持するように前記作動リンクを介して前記リフト板に常時当接する前記カムを回転させて前記リフト板の姿勢を制御することを特徴とする給紙装置。」
　
 ３．引用例及び引用発明
（１）当審の拒絶理由に引用された特開平４−１５９９３１号公報（以下「引用文献１」という。）には図面と共に下記の事項が記載されている。 
（ａ）「シート（Ｐ）を積載する積載手段（８）と、該シート（Ｐ）を給送する給送手段（５）と、給送される該シート（Ｐ）を分離する分離手段（１１）と、積載した該シート（Ｐ）を前記給送手段（５）に押圧する押圧手段（７，７ｂ）と、該押圧手段（７，７ｂ）を押圧または離間の状態に切換える切換手段（１２）と、前記分離手段（１１）及び前記切換手段（１２）に駆動力を伝達する駆動力伝達手段（４，２５，６ａ、６ｂ）とを有するシート給送装置（１）」（第２頁右上欄第９〜１８行）
（ｂ）「切換カム１２は入力ギヤ２ａが矢印Ｄ方向に回転すると、緩く切換カム１２に接続して、切換カム１２は矢印Ｄ方向に回転するがストッパ１４に当接して、それ以後は前記２ｄ面で軽く滑るため、切換カム１２のリフトの少ない所で押圧板７の側面に設けられたフオロワ７ｃを受けるため、押圧板７は圧縮ばね７ｂにより給紙ローラ５を押圧するようになっている。入力ギヤ２ａが矢印Ｃ方向に回転すると、クラッチ２は接ながり、切換カム１２は矢印Ｃ方向に回転して、切換カム１２のリフトの大きい部分でフオロワ７ｃを圧縮ばね７ｂの付勢力に抗して押し下げる。なお、モータ３（第１図参照）は第４図の状態になると停止するようになっている。」（第３頁右上欄第１４行〜左下欄第７行）
（ｃ）「本実施例の作用を第５図のフローチャートを参照して説明する。
　先ず、電源をオンすると、駆動源であるモータ３が正方向に回転し、第１図において、減速ギヤセット４、ギヤ６ｂ、軸２５、ワンウェイクラッチ２６を介して給送ローラ５が矢印Ａ方向に回転しシートＰが押圧板７上に積載されている場合には、シートＰは分離パッド１１により１枚ずつに分離されて、給送される。
　そして、軸５ａ、ギヤ６ａを介して、入力ギヤ２ａが矢印Ｄ方向に回転し、前記したクラッチ２の作用により切換カム１２が緩く入力ギヤ２ａに接続し、第４図に示すように、ストッパ１４に当接するように回転して、停止する。このとき、カムリフトはほぼ最小であるため、押圧板７は圧縮ばね７ｂの付勢力によりシートＰが押圧板７上に積載されている場合には、シートＰを介して給送ローラ５に圧接し、前記したようにシートＰが給送ローラ５の摩擦力により給送される（ステップＳ１）。
　次に、モータ３か所定量逆回転すると、減速ギヤセット４、ギヤ６ｂ、軸２５を介して入力ギヤ２ａが所定量矢印Ｃ方向に回転する。また給送ローラ５は、ワンウェイクラッチ２６が接続しないために回転しない。このとき、前記したようにクラッチ２は接続して、切換カム１２が第３図に示すストッパ１４に当接した位置から、第４図に示すような、最大リフトが下方を向いた位置まで回転して、切換カム１２はフオロワ７ｃを介して、圧縮ばね７ｂのばね力に抗して押圧板７を下降させる。そして、押圧板７と給送ローラ５とは離間して停止する（ステップＳ２）。
　この状態で、シートＰを、その先端が突き当板１０に当接するように、積載する（ステップＳ３）。」（第３頁左下欄第８行〜第４頁左上欄第２行）
（ｄ）第１、３〜４図より、押圧板７は、シートＰの搬送方向下流部を持ち上げて、給送ローラ５に押圧する点、切換カム１２は、押圧板７を挟んで圧縮ばね７ｂによる押圧板７の付勢方向と対向する側に配置され、給送ローラ５とは異なる回転軸に固定され回転する点がみてとれる。
（ｅ）第２図より、切換カム１２の外周面が滑らかに変化する点がみてとれる。
　
　上記（ｂ）の「切換カム１２のリフトの少ない所で押圧板７の側面に設けられたフォロワ７ｃを受けるため、押圧板７は圧縮ばね７ｂにより給送ローラ５を押圧するようになっている…切換カム１２は矢印Ｃ方向に回転して、切換カム１２のリフトの大きい部分てフォロワ７ｃを圧縮ばね７ｂの付勢力に抗して押し下げる。」の記載から、切換カム１２はその滑らかな外周面が第３図の状態から第４図の状態まで「押圧板７に設けられたフオロワ７ｃに常時当接して、当該切換カム１２のリフトの少ない部分と大きい部分の間で、カムの形状に伴って圧縮ばね７ｂの付勢力に抗して押し下げる」と認められ、以上の記載から、引用文献１には次の発明（以下「引用発明」という）が記載されていると認められる。 
「シート積載手段８からシートＰを１枚ずつ分離して送り出す給送ローラ５及び分離パッド１１と、前記シート積載手段８のシートＰの搬送方向下流部を給送ローラ５まで持ち上げる押圧板７と、前記押圧板７を押圧または離間の状態に切り換える切換カム１２と、前記押圧板７を前記給送ローラ５に付勢する圧縮ばね７ｂとを有するシート給送装置１において、
　前記切換カム１２は、前記給送ローラ５とは異なる回転軸に固定され回転し、前記押圧板７を挟んで前記圧縮ばね７ｂによる前記押圧板７の付勢方向と対向する側に配置され、前記押圧板７に設けられたフオロワ７ｃに常時当接して、当該切換カム１２のリフトの少ない所と大きい部分の間で、カムの形状に伴って圧縮ばね７ｂの付勢力に抗して押し下げるシート給送装置１。」
　
（２）当審の拒絶理由に引用された特開平１０−３２９９５９号公報（以下「引用文献２」という。）には図面と共に下記の事項が記載されている。 
（ａ）「【００１１】
【発明の実施の形態】以下、本発明の実施の形態を図面に基づいて説明する。図１は、本発明の給紙装置の実施の形態を示しており、図１に示す給紙装置は、複写機やプリンタ等に用いられる装置であり、積層紙１を載せる積層台２を備える。積層台２の昇降端２ｂは支点２ａを中心として回動可能であり、リフトアーム４の一端部により支持されている。リフトアーム４の他端部は、駆動手段としてのモータ３の出力軸３ａに固定されている。
【００１２】これにより、モータ３がこのリフトアーム４をＲ方向に回転することで、この積層台２の昇降端２ｂは、積層紙１を載せた状態で、Ｔ方向に持ち上げることができる。このモータ３の駆動は制御手段１０の指令により行われる。
【００１３】この積層台２の昇降端２ｂの付近でありその上部には、ピックアップローラ７が配置されており、このピックアップローラ７はモータ７ａの駆動力でＵ方向に回転することで、摩擦力により積層紙１の最上紙１ａを、Ｖ方向に沿って給紙する。さらに、積層台２の昇降端２ｂの前方には、一対の給紙分離ローラ８，８が配置されており、一方の給紙分離ローラ８をモータ８ａの駆動力でＷ方向に回転することで、摩擦力により積層紙１の最上紙１ａをＶ方向に給紙して、さらに図示しない例えば感光体付近のレジストローラに搬送することができる。
【００１４】給紙ローラ７の付近には、フィラー５が配置されており、フィラー５は光遮断部５ａと紙載置部５ｂを有している。フィラー５はピン５ｃによりＥ方向に回転できるようになっており、積層台２の昇降端２ｂ上の積層紙１の最上紙１ａにより紙載置部５ｂがＥ方向に持ち上がると、光遮断部５ａが透過型センサ６の間に入り込むようになっている。
【００１５】透過型センサ６は、昇降端２ｂ上の積層紙１の最上紙１ａが所定の位置に来たことを検知するための最上紙位置検知手段であり、発光ダイオードのような発光部と、この発光部の光を受光するフォトダイオードのような受光部とを有し、光遮断部５ａは、この発光部と受光部の間に入り込んで光を遮断する。これにより、透過型センサ６は、制御手段１０に対して最上紙位置検知情報を与える。
【００１６】本発明の実施の形態において特徴的なのは、この所定の位置は、モータ３の制御の遅れ、即ちモータ３の固有の停止精度にばらつきがあることを考慮して、最上紙１ａの搬送を行う上で最適な位置よりも手前に設定されており、これにより遅れ時間を設定している。
【００１７】この遅れ時間は、操作部１２で予め設定することで、制御手段１０に対して与えることができる。このようにすることで、モータ３の固有の停止精度（停止時間）のばらつきを抑え、最上紙１ａはピックアップローラ７により給紙分離部９の給紙分離ローラ８，８へ確実の搬送できる。」
（ｂ）「【００２８】
【発明の効果】請求項１に記載の発明では、最上紙位置検知手段が最上紙を検知してから駆動手段を停止させるまでに遅延時間を持たせて、この遅延時間を調整可能にしているので、駆動手段の固有の停止ばらつきがあっても、高精度は積層紙の位置決めが行え、安定した積層紙の位置決め性能と給紙性能が得られる。」
　
4．対比
　本願発明と引用発明を対比すると、引用発明の「シート積載手段８」、「シートＰ」、「給送ローラ５」及び「分離パッド１１」、「押圧板７」、「給送ローラ５とは異なる回転軸に固定され回転」する「切換カム１２」は、本願発明の「用紙収容部」、「用紙」、「給紙部」、「リフト板」、「給紙部とは異なる回転軸に固定され回転するカム」に相当する。
　また、引用発明の「押圧板７」が「シート積載手段８のシートＰの搬送方向下流部を給送ローラ５まで持ち上げる」は、シートＰが給送ローラ５により給送されるのが押圧板７がシートＰを介して給送ローラ５に圧接した位置なので（上記３．（１）（ｃ）参照）、本願発明の「リフト板」が「用紙収容部の用紙の搬送方向下流部を給紙位置まで持ち上げる」に相当し、引用発明の「押圧板７を押圧または離間の状態に切り換える」は、本願発明の「リフト板を昇降させる」に相当する。
　さらに、引用発明の「押圧板７を前記給送ローラ５に付勢する圧縮ばね７ｂ」は押圧板７が給送ローラ５に圧接するまで付勢し続けるから、本願発明の「リフト板に常時接触して前記リフト板を前記給紙位置の方向に常時付勢する付勢部材」に相当し、引用発明の「圧縮ばね７ｂ」及び「切換カム１２」の組合わせと、本願発明の「昇降機構」は、「給紙部とは異なる回転軸に固定され回転するカム」を備えた「リフト板を昇降させる昇降機構」である限りにおいて一致する。
　したがって、本願発明と引用発明は、
「用紙収容部から用紙を１枚ずつ分離して送り出す給紙部と、用紙収容部の用紙の搬送方向下流部を給紙位置まで持ち上げるリフト板と、このリフト板を昇降させる昇降機構とを備えた給紙装置において、
前記昇降機構は、前記リフト板に常時接触して前記リフト板を前記給紙位置の方向に常時付勢する付勢部材と、前記給紙部とは異なる回転軸に固定され回転するカムを備えた給紙装置。」
である点で一致し、以下の点で相違する。 
　
［相違点１］
　本願発明では、「用紙の最上層が給紙位置を保持するようリフト板の姿勢を制御するための上限検知センサを備え」、「用紙収容部に用紙が存在する間、用紙の最上層が前記給紙部に当接する前記給紙位置を保持するように」リフト板の姿勢を制御するのに対して、引用発明では、用紙の最上層が給紙位置を保持するよう前記リフト板の姿勢を制御するための上限検知センサを備えておらず、また、用紙が存在する間、用紙の最上層が前記給紙部に当接する前記給紙位置を保持するように制御するとはされていない点。
　
［相違点２］
　本願発明では、「カム及びリフト板とは独立して設けられて前記リフト板を挟んで付勢部材による前記リフト板の付勢方向と対向する側に配置されるとともに、カムとリフト板との間に介在してカムの外周面とリフト板との各々に常時当接しながら、カムの形状に伴う動きを前記リフト板に伝達する作動リンク」を備え、前記作動リンクを介して前記リフト板に常時当接する前記カムを回転させて前記リフト板の姿勢を制御するのに対して、引用発明では、作動リンクを備えておらず、切換カム１２が押圧板７を挟んで圧縮ばね７ｂによる前記押圧板７の付勢方向と対向する側に配置され、前記押圧板７に設けられたフオロワ７ｃに常時当接して、当該切換カム１２のリフトの少ない所と大きい部分の間で、カムの形状に伴って圧縮ばね７ｂの付勢力に抗して押し下げて押圧板７の姿勢を制御する点。
　
５．判断
　そこで、上記相違点１について検討すると、引用文献２には、積層台２（本願発明の「リフト板」に相当）の姿勢を制御する給紙装置において、最上紙位置検知手段である透過型センサ６（同「上限検知センサ」に相当）を備え、最上紙１ａ（同「用紙の最上層」に相当）の高精度の位置決めを可能とし、安定した給紙性能を得る給紙方法が記載されており、引用発明において、用紙の最上層の高精度の位置決めを可能とし、搬送ミスや重送のない安定した給紙性能を得るために当該方法を用いることは当業者が容易になし得たことである。
　また、本願発明において、用紙の存在はセンサで監視されるものと認められるところ（本願明細書の段落【００８７】参照）、用紙検出センサを設けて、用紙トレイに用紙が装填されていると判断するとリフト機構が作動して記録用紙を持ち上げ、給紙ローラで給紙することは周知技術にすぎず（例えば、当審の拒絶理由に引用された特開平６−１４４６４２号公報の段落【００２８】〜【００２９】参照）、引用発明において、センサで監視して、シート積載台８にシートが存在する間、押圧板７を制御して、シートの最上層が給紙ローラ５に当接する位置に保持させて給紙を行うことは当業者が適宜なし得た程度のことにすぎない。
　次に、上記相違点２について検討すると、本願発明が、作動リンク９３を設ける技術的意義は「作動リンク９３を用いて、カム９２の動きを効率よくリフト板３１に伝達する簡便な機構を構成することができる。これにより、リフト板３１の駆動機構８０の設計やその配置に自由度が高くなり、さらに給紙動作の安定性を向上させることができる。」（本願明細書段落【００９１】参照）ことと認められるところ、カムを備え、リフト板の姿勢を制御する給紙装置において、カム及びリフト板とは独立して設けられて、カムとリフト板との間に介在してカムの外周面とリフト板との各々に当接して、カムの動きを前記リフト板に伝達する部材（当審の拒絶理由に引用された特開平５−２６２４３５号公報の段落【００１４】〜【００１５】に記載された「カム６０１ｉ」に当接して「押し上げ板５０７ｉ」を押し上げる「リフトアップレバー５０９ｉ」、特開平６−１４４６４２号公報の段落【０００９】〜【００１０】に記載された「押動部２０」に押されて回動する「押圧ブラケット１７」及びこれに取り付けられて「用紙トレイ１０の下敷き１２」の下面に接する「持ち上げ板１６」参照）を用いた、カムの寸法や配置に設計的な自由度を有する構成を用いることが周知技術であり、また、カムの形状に伴う動きが効率よく拡大されて伝達されるように、カムと作動リンクからなり、カムの外周面に作動リンクが当接するように付勢される機構を用いることは周知技術すぎない（例えば、特開２００７−１７６２号公報段落【００３３】〜【００３４】及び【図４】、特開平４−３３３４６６号公報段落【００３０】及び【図１０】〜【図１１】、特開昭５４−１４７３１号公報の第３頁左下欄第１１〜１４行及び第２〜３図参照）。
　引用発明においても、カムの寸法や配置に自由度を持たせ、給紙動作の安定性を向上させることが望ましいことは明らかであるから、切換カム１２と押圧板７との間に介在して、切換カム１２の代わりに押圧板７に常時当接する作動リンクを設け、これを切換カム１２の外周面に常時当接させながら当該切換カム１２の形状に伴う動きを効率よく伝達して押圧板の制御を可能とすることは当業者が容易になし得たことである。
　
　また、本願発明の作用効果も、引用発明、引用文献２に記載された事項及び周知技術から当業者が予測できる範囲のものであり、格別顕著なものと認められない。
　
　したがって、本願発明は引用発明、引用文献２に記載された事項及び周知技術に基づいて、当業者が容易に発明をすることができたものであって、特許法第２９条第２項の規定により特許を受けることができないものである。
　
６．むすび
　以上より、本願は、当審で通知した上記拒絶の理由によって拒絶をすべきものであり、結論のとおり審決する。